(57)【要約】      （修正有）【課題】表台紙と裏台紙の位置がずれなく作業性のよい、また被収納物を安定して収納しうるブリスターパックを提供する。【解決手段】開口部６を有する表台紙２と、周縁に鍔部を有するカバーと、裏台紙３とからなる被包装物Ｐを収納して吊下げ展示するブリスターパックにおいて、表台紙２と裏台紙３が折目線４を介して一体のものからなり、表台紙２の中央にはカバー１０の形状に副った開口部６を穿設し、表台紙２の下部に凹部９を設け、裏台紙３には、被包装物の商品を取り出す際に破るために、カバーの形状に副って切れ目線７を設け、切れ目線７の下に凹部９より突出する把手部８を設けるとともに、表台紙２にカバーの鍔部１１を点接着するようにしたブリスターパックを構成するものである。【選択図】図１
0003107154.tif 000002
【実用新案登録請求の範囲】
【請求項１】
開口部を有する表台紙と、周縁に鍔部を有するカバーと、裏台紙とからなる被包装物を収納して吊下げ展示するブリスターパックにおいて、前記表台紙と裏台紙が折目線を介して一体のものからなり、前記表台紙の中央には前記カバーの形状に副った開口部を穿設し、前記表台紙の下部に凹部を設け、前記裏台紙には被包装物の商品を取り出す際に破るために、前記カバーの形状に副って切れ目線を設け、該切れ目線の下に前記凹部より突出する把手部を設けるととも、前記表台紙にカバーの鍔部を点接着するようにしたことを特徴とするブリスターパック。
【請求項２】
前記カバーは上部傾斜面を設けるとともに、該傾斜面に縦筋を入れて緩衝材としての機能を付与した請求項１記載のブリスターパック。
【請求項３】
前記把手部周りは糊着しないようにした請求項１又は請求項２記載のブリスターパック。
【考案の詳細な説明】
【技術分野】
【０００１】
本考案は、収納した被包装物が外部から確認できるようにした吊下げ展示用のブリスターパックに係り、更に詳しくは、ブリスターカバーに、開口部を有する表台紙と裏台紙を使用したブリスターパックに関するものである。
【背景技術】
【０００２】
被収納物の包装商品は、外部から視認できなければ商品を効果的にアピールすることができないし、また店先に積み重ねて置いたのでは、立体的な展示が不可能になる。そのため大型店舗等から、展示用の水平ポールに吊して、商品を透視しうるブリスターパックにして欲しい旨の要望がある。
【０００３】
ブリスターパックは、厚紙の台紙を裏に配設し、表は被包装物の凹型形状に真空成形した透明樹脂製シートからなるブリスターカバーで被覆するものである。従来は、透明樹脂に塩化ビニール樹脂を使用していたので、焼却時にダイオキシンが発生し、環境面から好ましくなかった。しかし最近は、有毒ガスの発生しない非結晶性のポリエステル系樹脂シート等が用いられるようになったので、公害問題は解消した。
【０００４】
また被収納物が厚みがあり重い場合には、裏台紙にカバーの縁を折り曲げて包装したのでは不安定になるので、カバー周縁の鍔部に表台紙の開口部を貼り合わすようにしている。しかしながら、表台紙と裏台紙が別個のものからなるために、現場での作業性が悪く、表裏の位置ずれも欠点となっていた。
【０００５】
そして、ブリスターカバーと、表台紙および裏台紙を紙の資源化のため、使用後分離しやすくするために、台紙とカバーの鍔部は糊着しないという先行技術が提案されている。しかし、被収納物が電球のように壊れやすい場合には、これでは安定した包装が難しくなる。
【特許文献１】特開２００１−３１１３７
【考案の開示】
【考案が解決しようとする課題】
【０００６】
上記の事情に鑑み、本考案は、表台紙と裏台紙の位置がずれがなく作業性のよい、また被収納物を安定して収納しうるブリスターパックの提供を課題とする。
【課題を解決するための手段】
【０００７】
本考案は、上記目的を達成するために、開口部を有する表台紙と、周縁に鍔部を有するカバーと、裏台紙とからなる被包装物を収納して吊下げ展示するブリスターパックにおいて、前記表台紙と裏台紙が折目線を介して一体のものからなり、前記表台紙の中央には前記カバーの形状に副った開口部を穿設し、前記表台紙の下部に凹部を設け、前記裏台紙には、被包装物の商品を取り出す際に破るために、前記カバーの形状に副って切れ目線を設け、該切れ目線の下に前記凹部より突出する把手部を設けるととも、前記表台紙にカバーの鍔部を点接着するようにしたブリスターパックを構成するものである。
【考案の効果】
【０００８】
本考案は、電球や乾電池等の商品を収納しても外部から透視することができて、店頭の水平ポールに吊り下げて展示することができるブリスターパックで、表台紙と裏台紙を折目線を介して一体ものとしたので、表台紙と裏台紙の位置ががずれがなく貼り合わすことができ、不良品の発生も減少しうるようになる。
【０００９】
本考案のブリスターパックは、被収納物を収納するカバーを、予め台紙に糊着するようにしたので、壊れやすい被収納物も安定して収納することができ、製造工程の作業性もよくなった。
【００１０】
本考案のブリスターパックは、糊着を実施例のように点接着にしておくことによって、使用後に台紙とカバーを簡単に分離することもでき、分別して焼却・廃棄することも容易である。
【考案を実施するための最良の形態】
【００１１】
以下、本考案の実施例を図面に基づいて詳しく説明する。
図１は、本ブリスターパックに使用される台紙の平面図、図２は、本ブリスターパックに使用されるブリスターカバーを示し、（イ）は平面図、（ロ）は左側面図である。図３は、被包装物である電球の平面図、図４の（１）から（５）は、本ブリスターパックの製造工程を説明するための分解斜視図である。図５は、裏台紙の開口部周りと周縁に糊を塗布しカバーを糊着した状態を示す表台紙を裏返した平面図、図６は、本ブリスターパックに被包装物を収納した状態を示し、（イ）は平面図、（ロ）は左側面図、（ハ）は斜視図である。
【００１２】
図１に示すように、本ブリスターパックに使用される台紙１は、表台紙２と裏台紙３が折目線４を介した一体のものからなっている。これは、従来のように表台紙２と裏台紙３が別個のものであると、部品数が増えて現場での作業性が悪く、貼り合わした際に位置がずれることもあったので、一体ものにし、折り曲げて重ね合わすようにしたものである。
【００１３】
表台紙２と裏台紙３の上部には、吊下げ用の穴５ａ，５ｂを穿設している。そして表台紙２の中央には、成型カバーの形状に副った開口部６を穿設している。一方、裏台紙３には、被包装物の商品を取り出す際に破るための切れ目線７を、成型カバーの形状に副って下から入れている。この真下にある剥がす際の把手部８は、表台紙２の真下にある凹部９よりも飛び出しているので、セットされた時は図６（ハ）のような状態で、摘んで剥がすことができるようになっている。なお、この表台紙２と裏台紙３の表面同士には、図示してないが印刷が施される。
【００１４】
図２の（イ）と（ロ）は、本ブリスターパックに使用されるブリスターカバー１０である。ブリスターカバー１０は、透明な樹脂シ−トを被包装物の形状に副って真空成型したもので、周縁には平面状タブの鍔部１１を有している。本実施例の場合には、被包装物として図３に示すような電球Ｐを使用する。そのために、電球上部のガラス面が落下衝撃にも耐えうるように、上部傾斜面１２には縦筋１３を入れて緩衝材としての機能を付与している。なお、被包装物は、電球に限定されるものではなく、乾電池ほかの小物商品をパックすることができる。
【００１５】
図４は、本ブリスターパックの製造工程の手順を示したものである。最初の（１）の工程は、台紙１の印刷面のない裏面Ｂを上にしておくことである。なお、台紙１は、前述の如く折目線４を介して表台紙２ｂと裏台紙３ｂとが一体ものからなっている。次の（２）の工程は、表台紙の裏面２ｂの開口部６周りと縁部１４周りに糊１５を塗布する工程である。そして（３）の工程は、糊１５を付けた表台紙の裏面２ｂ上に、カバー１０を上から嵌め込んで、カバー１０の鍔部を糊着することである。
【００１６】
この状態を拡大して示したのが、図５の表台紙の裏面２ｂである。糊１５は、開口部６周りに塗布された糊１５ａ，１５ｂと、縁部１４周りに塗布された糊１５ｃとからなっている。従って（３）の工程で、カバー１０を上から嵌め込むと、カバー１０の鍔部１１の周縁は、糊１５ａ，１５ｂで糊着されることになる。これが本考案の特徴的な点で、次の工程で壊れやすい電球の被包装物をカバー１０内に挿入する際に、カバー１０は表台紙裏面２ｂと安定した状態で糊着している。 
【００１７】
そして図４の（４）の工程は、カバー１０内に被包装物Ｐを収納する状態を示している。最後の（５）の工程は、表台紙の裏面２ｂ上に裏台紙の裏面３ｂを重ね合わせて貼り合わすものである。この貼り合わせに際しては、図５に示す表台紙裏面２ｂ上の縁部１４周りに塗布した糊１５ｃによって、糊着されることになる。
【００１８】
図６は、このようにしてパックされた本考案のブリスターパック品１６を示している。（イ），（ロ）に示すように、被包装物Ｐはカバー１０内の緩衝材１３等にて保護され、安定した状態で収納されている。そして吊下げ用の穴５によって吊下げて展示しうるようにパックしている。
【００１９】
本考案のブリスターパック品１６を取り出すには、把手部８を摘んで裏台紙３の切れ目線７を上に破ると、被包装物Ｐを取り出すことができる。貼り合わされる表台紙の裏面２ｂは、図５のように把手部周り１７に糊１５を付けないようにしているので、把手部８を摘まんで剥がし始めることにより、楽に切れ目線７へ達することができる。また、被包装物Ｐを取り出した後の台紙１とカバー１０も、点接着で簡単に分離することができる。
【産業上の利用可能性】
【００２０】
本考案は、電球や乾電池等の商品を収納して展示するのみならず、あらゆる包装物を包装することができるブリスターパックとしても適用できる。
【図面の簡単な説明】
【００２１】
【図１】本ブリスターパックに使用される台紙の平面図である。
【図２】本ブリスターパックに使用されるブリスターカバーを示し、（イ）は平面図、（ロ）は左側面図である。
【図３】被包装物である電球の平面図である。
【図４】（１）から（５）は、本ブリスターパックの製造工程を説明するための分解斜視図である。
【図５】裏台紙の開口部周りと周縁に糊を塗布しカバーを糊着した状態を示す表台紙を裏返した平面図である。
【図６】本ブリスターパックに被包装物を収納した状態を示し、（イ）は平面図、（ロ）は左側面図、（ハ）は斜視図である。
【符号の説明】
【００２２】
１          台紙
２          表台紙
２ｂ        表台紙の裏面
３          裏台紙
３ｂ        裏台紙の裏面
４          折目線
５，ａ，ｂ  吊下げ用の穴   
６          成型カバーの開口部
７          表台紙と裏台紙間の切れ目線
８          剥がす際の把手部
９          台紙の真下にある凹部
１０        ブリスターカバー
１１        ブリスターカバーの鍔部
１２        ブリスターカバーの上部傾斜面
１３        ブリスターカバーの緩衝材としての縦筋
１４        表台紙裏面の縁部
１５        糊着する糊
１５ａ，ｂ  開口部周りに塗布した糊
１５ｃ      縁部周りに塗布した糊
１６        ブリスターパック品
Ｂ          台紙の裏面
Ｐ          被包装物
【図１】
0003107154.tif 000003
【図２】
0003107154.tif 000004
【図３】
0003107154.tif 000005
【図４】
0003107154.tif 000006
【図５】
0003107154.tif 000007
【図６】
0003107154.tif 000008